(57)【特許請求の範囲】
【請求項１】
回動可能に支持される第一の回動部材と、
前記第一の回動部材を回動させる駆動源と、
前記第一の回動部材と回動可能に連結される可動部材と、
回動可能に支持されると共に、前記可動部材と摺動可能に連結される第二の回動部材とを備え、
前記可動部材と前記第二の回動部材との摺動方向が前記可動部材と前記第一の回動部材との連結部が描く円弧の軌跡の接線方向と交差する状態で前記駆動源によって前記第一の回動部材を所定方向に回動させることで、前記可動部材及び前記第二の回動部材を前記第二の回動部材の回動軸回りに回動させ、
前記摺動方向が前記接線方向と略平行になった場合において、さらに前記駆動源によって前記第一の回動部材を前記所定方向に回動させることで、前記可動部材と前記第二の回動部材とを摺動させることを特徴とする遊技機の可動演出装置。
【発明の詳細な説明】
【技術分野】
【０００１】
本発明は、遊技機の可動演出装置の技術に関する。
【背景技術】
【０００２】
従来、遊技機の可動演出装置の技術は公知となっている。例えば、特許文献１に記載の如くである。
【０００３】
特許文献１に記載の可動演出装置では、可動体を挟んで左右両側に一対の回動アームを設けると共に、当該回動アームをそれぞれ可動体の左右両端に連結している。このように構成した可動演出装置において、回動アームをモータにより駆動させることにより、可動体を２つの位置の間で往復移動（昇降）させることができる。
また、この可動演出装置では、可動体を、一対の回動アームが連結される装飾取付部と、当該装飾取付部の前面に回転自在に取り付けられる装飾部材と、によって構成し、装飾取付部に配置したモータにより装飾部材を回転させるように構成している。
【０００４】
しかし、特許文献１に記載の技術では、可動体が移動する挙動に着目した場合、回動アームの駆動に伴って可動体が２つの位置の間を単純に往復移動するに過ぎなかった。
また、特許文献１に記載の技術では、装飾部材の回転動作も行うが、回動アームを駆動させるためのモータとは別に、装飾部材を回転させるためのモータを設けるため、複数のモータ（駆動源）を必要としていた。
【先行技術文献】
【特許文献】
【０００５】
【特許文献１】特開２００９−１１５７３号公報
【発明の概要】
【発明が解決しようとする課題】
【０００６】
本発明が解決しようとする課題は、遊技者に新鮮な印象を与えることが可能な挙動を、単一の駆動源によって実現することができる遊技機の可動演出装置を提供するものである。
【課題を解決するための手段】
【０００７】
本発明の解決しようとする課題は以上の如くであり、次にこの課題を解決するための手段を説明する。
【０００８】
即ち、請求項１においては、回動可能に支持される第一の回動部材と、前記第一の回動部材を回動させる駆動源と、前記第一の回動部材と回動可能に連結される可動部材と、回動可能に支持されると共に、前記可動部材と摺動可能に連結される第二の回動部材とを備え、前記可動部材と前記第二の回動部材との摺動方向が前記可動部材と前記第一の回動部材との連結部が描く円弧の軌跡の接線方向と交差する状態で前記駆動源によって前記第一の回動部材を所定方向に回動させることで、前記可動部材及び前記第二の回動部材を前記第二の回動部材の回動軸回りに回動させ、前記摺動方向が前記接線方向と略平行になった場合において、さらに前記駆動源によって前記第一の回動部材を前記所定方向に回動させることで、前記可動部材と前記第二の回動部材とを摺動させるものである。
【発明の効果】
【０００９】
本発明の効果として、以下に示すような効果を奏する。
【００１０】
請求項１においては、遊技者に新鮮な印象を与えることが可能な挙動を、単一の駆動源によって実現することができる。
【図面の簡単な説明】
【００１１】
【図１】本発明の一実施形態に係る可動演出装置を備える遊技機の全体的な構成を示した正面図。
【図２】同じく、遊技機の窓枠が開放された状態を示した前方斜視図。
【図３】同じく、遊技盤を示した正面図。
【図４】待機位置における可動演出装置を示した正面図。
【図５】同じく、第一ベース部材及び第二ベース部材の前部の図示を省略した可動演出装置を示した正面図。
【図６】同じく、背面図。
【図７】可動体及び第二アームを示した背面図。
【図８】待機位置から作動位置に遷移する途中の可動演出装置を示した正面図。
【図９】同じく、背面図。
【図１０】第一アーム及び第二アームの回動の軌跡を示した正面図。
【図１１】同じく、背面図。
【図１２】可動体が出現した際の遊技盤を示した正面図。
【図１３】作動位置における可動演出装置を示した正面図。
【図１４】同じく、背面図。
【図１５】可動体が作動位置にある際の遊技盤を示した正面図。
【図１６】作動位置から待機位置に遷移する途中の可動演出装置を示した正面図。
【図１７】同じく、背面図。
【図１８】（ａ）第一アーム及び第二アームの他の実施形態を示した正面図。（ｂ）同じく、背面図。
【発明を実施するための形態】
【００１２】
まず、本発明に係る遊技機の可動演出装置の一実施形態である可動演出装置１００を備える遊技機１の全体的な構成について、図１から図３を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１３】
遊技機１は、図１から図３が示すように、主として、外枠２と、中枠３と、窓枠４と、により構成される枠体に、各種の遊技部品が取り付けられて形成される。
【００１４】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１５】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１６】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１７】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１８】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００１９】
次に、遊技盤６の構成について、図３を用いてさらに詳細に説明する。
【００２０】
遊技盤６は、図３に示すように、遊技板１０と、ガイドレール１１と、センター役物１２と、図柄表示装置１３と、可変入賞装置１４と、大入賞装置１５と、アウト口１６と、可動演出装置１００等により構成される。
【００２１】
遊技板１０は、四隅が適宜に切り欠かれた略平板状に形成される部材である。遊技板１０には、遊技盤６を構成する各種の遊技部品が取り付けられる。
【００２２】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２３】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２４】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２５】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の左右中央部であってセンター役物１２の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２６】
大入賞装置１５は、所定の大当たり抽選により大当たりが選択されると、大入賞口１５ａを開放して遊技球が入球（入賞）可能に構成される装置である。大入賞装置１５は、遊技領域２５の左右中央部であって可変入賞装置１４の下方に配置される。なお、大入賞装置１５は、開放した大入賞口１５ａに遊技球が入球すると図示せぬ賞球払出装置によって所定数の遊技球（賞球）が払い出されるように構成される。
【００２７】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００２８】
次に、可動演出装置１００の構成について詳細に説明する。
【００２９】
図３から図１５までに示す可動演出装置１００は、液晶画面２６に表示される図柄遊技に応じて可動し、遊技者に視覚的な印象（インパクト）を与えるためのものである。可動演出装置１００は、液晶画面２６の概ね上方に配置されるとともに、前後方向においてセンター役物１２と液晶画面２６との間、すなわちセンター役物１２よりも後方であって液晶画面２６よりも前方に配置される。可動演出装置１００は、主として、第一ベース部材１１０と、第二ベース部材１２０と、モータ１３０と、回転部材１４０と、伝達アーム１５０と、第一アーム１６０と、位置センサ１７０と、第二アーム１８０と、可動体２００と、により構成される。
【００３０】
図４に示す第一ベース部材１１０は、後述するモータ１３０、第一アーム１６０及び位置センサ１７０を支持する略箱状の部材である。第一ベース部材１１０は、遊技盤６（図３参照）に適宜支持される。
【００３１】
また、第一ベース部材１１０は、第一支軸１１１及びガイド孔１１２を具備する。
【００３２】
第一支軸１１１は、後述する第一アーム１６０を回動可能に支持するためのものである。第一支軸１１１は、第一ベース部材１１０の右端部近傍に設けられ、図柄表示装置１３（液晶画面２６）の上方に配置される（図５参照）。当該第一支軸１１１は、その軸線を前後方向に向けた状態で、第一ベース部材１１０から後方に向かって延設される。
【００３３】
ガイド孔１１２は、第一ベース部材１１０の右端部近傍であって第一支軸１１１の上方において、当該第一ベース部材１１０を前後方向に貫通するように形成される。ガイド孔１１２は、正面視において、第一支軸１１１を中心とする円弧状となるように形成される。
【００３４】
図４及び図５に示す第二ベース部材１２０は、後述する第二アーム１８０を支持する略箱状の部材である。第二ベース部材１２０は、第一ベース部材１１０の右方に配置される。第二ベース部材１２０は、遊技盤６（図３参照）に適宜支持される。なお、図５においては、説明の便宜上、第二ベース部材１２０の前側部分の図示を省略している。
【００３５】
また、第二ベース部材１２０は、第二支軸１２１及び開口部１２２を具備する。
【００３６】
第二支軸１２１は、後述する第二アーム１８０を回動可能に支持するためのものである。第二支軸１２１は、第二ベース部材１２０の下端部近傍に設けられ、図柄表示装置１３（液晶画面２６）の右側方に配置される（図５参照）。当該第二支軸１２１は、その軸線を前後方向に向けた状態で、第二ベース部材１２０の前側面から後側面にわたって配置される。また、第二支軸１２１は、第一支軸１１１の右下方に位置することになる。
【００３７】
開口部１２２は、第二ベース部材１２０の下端部近傍であって、第二支軸１２１の概ね左上方において、当該第二ベース部材１２０の内部と外部とを連通するように形成される。
【００３８】
図４から図６までに示すモータ１３０は、本発明に係る駆動源の実施の一形態であり、後述する第一アーム１６０を回動させるためのものである。
モータ１３０は、出力軸１３１（図９参照）を後方に向けた状態で配置される。モータ１３０は、第一ベース部材１１０の前側面の上端部近傍に固定される。当該モータ１３０の出力軸１３１は、第一ベース部材１１０の第一支軸１１１の略左方に配置される。また、当該モータ１３０の出力軸１３１は当該第一ベース部材１１０を前後方向に貫通し、後方へと延設される。
【００３９】
図５及び図６に示す回転部材１４０は、モータ１３０からの駆動力を伝達するものである。
回転部材１４０は、略円形板状の部材である。回転部材１４０は、その板面を前後方向に向けた状態で配置される。回転部材１４０の中心部は、モータ１３０の出力軸１３１に相対回転不能となるように連結される（図９参照）。
【００４０】
また、回転部材１４０は、回動軸１４１を具備する。
【００４１】
図６に示す回動軸１４１は、回転部材１４０の周縁部に配置され、その軸線を前後方向に向けた状態で、回転部材１４０の後側面から後方に向けて延設される。
【００４２】
図５及び図６に示す伝達アーム１５０は、回転部材１４０からの駆動力を伝達するものである。
伝達アーム１５０は、略矩形板状の部材であり、長手方向を略左右方向に向けて配置される。伝達アーム１５０は、その板面を前後方向に向けて配置される。伝達アーム１５０の長手方向両端部には、それぞれ当該伝達アーム１５０を前後方向に貫通する孔が形成される。伝達アーム１５０に形成された２つの孔のうち一方の孔（図５及び図６に示す左側の孔）には、その前方から回転部材１４０の回動軸１４１が挿通される。これによって、伝達アーム１５０が回動軸１４１に回動可能となるように連結される。
【００４３】
図４から図６までに示す第一アーム１６０は、後述する可動体２００を支持するものである。
第一アーム１６０は、細長い板状の部材であり、長手方向を略左右方向に向けて配置される。第一アーム１６０は、図柄表示装置１３（液晶画面２６）の上方に配置され、可動体２００を略水平に支持する。第一アーム１６０は、その板面を前後方向に向けて配置される。第一アーム１６０は、正面視において可動体２００と重複するのを避けるように適宜湾曲した形状に形成される。第一アーム１６０は、透光性を有する部材で構成される。第一アーム１６０の長手方向両端部には、それぞれ当該第一アーム１６０を前後方向に貫通する孔が形成される。第一アーム１６０に形成された２つの孔のうち一方の孔（図６に示す左側の孔）には、その前方から第一ベース部材１１０の第一支軸１１１が挿通される。これによって、第一アーム１６０が第一支軸１１１に回動可能に支持される。
【００４４】
また、第一アーム１６０は、延設部１６１、回動軸１６２及び遮蔽片１６３を具備する。
【００４５】
図５及び図６に示す延設部１６１は、第一アーム１６０の一端部（左端部）からさらに略左上方に向かって延設される部分である。当該延設部１６１は、第一アーム１６０と一体的に形成される。
【００４６】
図５に示す回動軸１６２は、その軸線を前後方向に向けた状態で、延設部１６１の前側面の左上端部近傍から前方に向けて延設される。当該回動軸１６２は、伝達アーム１５０に形成された２つの孔のうち他方の孔（図５及び図６に示す右側の孔）に挿通される。これによって、伝達アーム１５０が回動軸１６２に回動可能となるように連結され、ひいては伝達アーム１５０が第一アーム１６０に回動可能となるように連結される。
【００４７】
図５及び図６に示す遮蔽片１６３は、第一アーム１６０に形成された２つの孔のうち一方の孔（図５及び図６に示す左側の孔）の上方に形成される、当該孔を中心とする略扇形板状の部分である。遮蔽片１６３は、第一アーム１６０と一体的に形成される。
【００４８】
位置センサ１７０は、第一アーム１６０の回動位置を検出するものである。
位置センサ１７０は、光を発する発光部と、当該光を受光する受光部と、からなるフォトセンサで構成される。当該発光部と受光部との間に第一アーム１６０の遮蔽片１６３が進入すると、前記発光部からの光が遮られ、前記受光部において光が受光できなくなるため、第一アーム１６０が所定の位置にあることを検出することができる。位置センサ１７０は、図示せぬ制御装置に接続され、当該位置センサ１７０による検出結果は、可動演出装置１００やその他の役物の制御等に利用することができる。
【００４９】
図４から図７までに示す第二アーム１８０は、後述する可動体２００を支持するものである。
第二アーム１８０は、細長い板状の部材であり、長手方向を右下方から左上方まで略斜め方向に向けて配置される。第二アーム１８０は、図柄表示装置１３（液晶画面２６）の右側方から右上方にかけて配置され、可動体２００の斜め下方から可動体２００を支持する。第二アーム１８０は、その板面を前後方向に向けて配置される。第二アーム１８０は、正面視において液晶画面２６と重複するのを避けるように適宜湾曲した形状に形成される。第二アーム１８０は、透光性を有する部材で構成される。第二アーム１８０の長手方向一端部（図５から図７までに示す右下端部）には、当該第二アーム１８０を前後方向に貫通する孔が形成される。当該第二アーム１８０の孔には、第二ベース部材１２０の第二支軸１２１が挿通される。これによって、第二アーム１８０が第二支軸１２１に回動可能に支持される。
【００５０】
図４から図７までに示す可動体２００は、移動することにより演出を行い、遊技者に印象（インパクト）を与えるためのものである。可動体２００は、第一可動部材２０１及び第二可動部材２０２を具備する。
【００５１】
第一可動部材２０１は、薙刀を模した形状を有する部材である。第一可動部材２０１は、その長手方向を略左右方向に向けて配置される。第一可動部材２０１の左側は薙刀の刀身部分を、第一可動部材２０１の左右略中央から右側にかけては薙刀の柄部分を、それぞれ模した形状に形成される。
【００５２】
また、第一可動部材２０１は、溝部２０１ａ及び回動軸２０１ｂを具備する。
【００５３】
図６及び図７に示す溝部２０１ａは、第一可動部材２０１のうち柄を模した部分の後側面に形成される。より詳細には、溝部２０１ａは、第一可動部材２０１の右端部から左右略中央部まで、当該第一可動部材２０１の長手方向と平行に形成される。
【００５４】
回動軸２０１ｂは、その軸線を前後方向に向けた状態で、第一可動部材２０１の後側面（より詳細には、第一可動部材２０１の後側面であって、溝部２０１ａよりも左方）から後方に向けて延設される。回動軸２０１ｂは、第一可動部材２０１の幅方向（短手方向）の中央に位置する。当該回動軸２０１ｂは、第一アーム１６０に形成された２つの孔のうち他方の孔（図６に示す右側の孔）に挿通される。これによって、第一アーム１６０が回動軸２０１ｂに回動可能となるように連結される。すなわち、当該回動軸２０１ｂが第一アーム１６０と第一可動部材２０１との連結部となる。
【００５５】
図６及び図７に示す第二可動部材２０２は、略矩形板状の部材である。第二可動部材２０２は、その長手方向が第一可動部材２０１の長手方向と平行になるように配置される。第二可動部材２０２の幅は、第一可動部材２０１の溝部２０１ａの幅と略同一となるように形成される。第二可動部材２０２の後側面の左端部近傍には、第二アーム１８０の他端部（左上端部）が固定される。すなわち、第二アーム１８０は、第二可動部材２０２に回動不能となるように連結される。当該第二アーム１８０と第二可動部材２０２とが連結される部分を、連結部２０２ａとする。連結部２０２ａは、第二可動部材２０２の幅方向（短手方向）の中央に位置する。第二可動部材２０２は、第一可動部材２０１の溝部２０１ａ内に挿入される。これによって、第二可動部材２０２は、第一可動部材２０１に対して相対的に摺動自在になる。この場合、第一可動部材２０１と第二可動部材２０２とは、正面視又は背面視において回動軸２０１ｂと連結部２０２ａとを結ぶ直線と平行な方向に摺動可能となる。
【００５６】
なお、第二可動部材２０２が、第一可動部材２０１の溝部２０１ａから後方に脱落するのを防止するためのストッパ等を、第一可動部材２０１や第二可動部材２０２等に設けても良い。
【００５７】
上述の如く可動演出装置１００を構成することにより、第一アーム１６０を可動体２００の左端部（第一端部）側に配置し、当該第一アーム１６０により可動体２００を左端部（第一端部）側から支持すると共に、第二アーム１８０を可動体２００の右端部（第二端部）側に配置し、当該第二アーム１８０により可動体２００を右端部（第二端部）側から支持することができる。
【００５８】
上述の如く構成された可動演出装置１００において、モータ１３０を駆動させることで、可動体２００を待機位置と作動位置との間で往復移動させることができる。以下では、この可動演出装置１００の往復移動の様子について説明する。
【００５９】
まず、可動体２００が待機位置にある場合について説明する。
【００６０】
「待機位置」とは、図５及び図６に示す可動体２００の位置をいう。
可動体２００が待機位置にある場合、回転部材１４０の回動軸１４１は最も左（モータ１３０の出力軸１３１（図９参照）の左方）に移動している。
【００６１】
この場合、当該回動軸１４１に連結されている伝達アーム１５０も最も左に移動している。これによって、当該伝達アーム１５０に連結されている第一アーム１６０の延設部１６１が最も左に引っ張られるため、第一アーム１６０は第一支軸１１１を中心として正面視反時計回りに回動した状態となる。この状態においては、第一アーム１６０の右端側は最も上昇した位置にある。
【００６２】
第一アーム１６０の右端側が最も上昇した位置にあるため、当該第一アーム１６０の右端側に連結されている可動体２００も最も上昇した位置にある。この場合、当該可動体２００を介して第二アーム１８０も第二支軸１２１を中心として正面視時計回りに回動された状態となる。
【００６３】
可動体２００が待機位置にある場合、図３に示すように、可動体２００はセンター役物１２及び遊技板１０の背後に配置され、遊技者からは視認することができない。
【００６４】
なお、可動体２００が待機位置にある場合、位置センサ１７０の発光部と受光部との間に第一アーム１６０の遮蔽片１６３が進入するため、当該位置センサ１７０は可動体２００が待機位置にあることを検出することができる。
【００６５】
次に、可動体２００が待機位置にある状態からモータ１３０を駆動させた場合について説明する。
【００６６】
図８及び図９に示すように、モータ１３０を駆動させて回転部材１４０を正面視時計回りに回転させると、当該回転部材１４０の回動軸１４１は右方に（より詳細には、出力軸１３１を中心とする円弧上を右上方に）移動する。
【００６７】
この場合、当該回動軸１４１に連結されている伝達アーム１５０も右方に移動する。これによって、当該伝達アーム１５０に連結されている第一アーム１６０の延設部１６１が第一支軸１１１を中心として正面視時計回りに回動するため、第一アーム１６０も第一支軸１１１を中心として正面視時計回りに回動し、第一アーム１６０の右端側は下降する。
【００６８】
第一アーム１６０の右端側が下降すると、可動体２００の第一可動部材２０１が所定の方向（下方）に押し下げられる（下降する）ことになる。したがって、可動体２００の左側部分が先行して下降する。そして、当該可動体２００（第一可動部材２０１及び第二可動部材２０２）を介して第二アーム１８０の左端部が左斜め下方に引き下げられ、第一アーム１６０の回動に追従するように、第二アーム１８０が第二支軸１２１を中心として正面視反時計回りに回動され、可動体２００の右側部分が下降する。このため、可動体２００は、待機位置での姿勢（初期姿勢）に対し、左端部を左下方向に向けるように傾きながら下降する。
【００６９】
第一アーム１６０及び第二アーム１８０が上述の如く回動する際、第一可動部材２０１と第二可動部材２０２は適宜相対的に摺動する。これによって、第一アーム１６０及び第二アーム１８０は、滑らかに回動することができる。
【００７０】
第一アーム１６０が回動する際、第一アーム１６０と可動体２００（第一可動部材２０１）との連結部（回動軸２０１ｂ）の軌跡は、待機位置において第一アーム１６０が可動体２００を左側から略水平に支持することから、図１０及び図１１に示す円弧の軌跡Ａになる。この軌跡Ａは、水平方向成分が、回動軸２０１ｂを図柄表示装置１３の中央から左方向に移動させる、すなわち、可動体２００の左側部分（第一可動部材２０１）を左方向に引っ張るものとなる。また、軌跡Ａは、鉛直方向成分が、回動軸２０１ｂを図柄表示装置１３の上方から中央に移動させるもの、すなわち、可動体２００の左側部分（第一可動部材２０１）を下降させるものとなる。
【００７１】
一方、第二アーム１８０が回動する際、第二アーム１８０と可動体２００（第二可動部材２０２）との連結部２０２ａの軌跡は、待機位置において第二アーム１８０が可動体２００を右下側から斜め上方に支持することから、円弧の軌跡Ｂになる。この軌跡Ｂは、水平方向成分が、連結部２０２ａを図柄表示装置１３の右方から中央に移動させるもの、すなわち、可動体２００の右側部分（第二可動部材２０２）を左方向に押し出すものであり、鉛直方向成分が、連結部２０２ａを図柄表示装置１３の上方から中央に移動させるもの、すなわち、可動体２００の右側部分（第二可動部材２０２）を下降させるものとなる。
【００７２】
このように、回動軸２０１ｂの軌跡Ａ及び連結部２０２ａの軌跡Ｂは、その水平方向成分が何れも左方向に向かうものであると共に、その鉛直方向成分が何れも下方に向かうものであるため、可動体２００は、図柄表示装置１３（液晶画面２６）の前方において、左方向に進行しながら下降していく。また、その際、第二アーム１８０が可動体２００（第二可動部材２０２）に回動不能に連結されることから、両者のなす角度が一定の角度θ（図５参照）に保持され、そのため、可動体２００は、初期姿勢に対する傾き（左端部を左下方向に向けるような傾き）を増しながら下降していく。
【００７３】
上述の如く可動体２００（第一可動部材２０１）が下降すると、図１２に示すように、当該第一可動部材２０１はセンター役物１２の背後（上方）から液晶画面２６の前方（下方）に出現する。また、この際の回動軸２０１ｂの下降量は、第二アーム１８０と第二可動部材２０２との連結部分の下降量よりも大きいため（図６及び図９参照）、第一可動部材２０１の左端側（薙刀の刀身側）が右端側（薙刀の柄側）よりも大きく下降する。これによって、薙刀（第一可動部材２０１）が振り下ろされたような演出を行い、当該演出を遊技者に視認させることができる。また、この際、第一アーム１６０及び第二アーム１８０は透光性を有する部材で構成されているため、当該第一アーム１６０及び第二アーム１８０は遊技者から視認し難く、遊技者の注意を第一可動部材２０１に集中させることができる。
【００７４】
次に、さらにモータ１３０を駆動させ、回転部材１４０の回動軸１４１が最も右に移動した場合について説明する。
【００７５】
図８及び図９に示す状態からさらにモータ１３０を駆動させると、図１３及び図１４に示すように回転部材１４０の回動軸１４１が最も右（モータ１３０の出力軸１３１の右方）に移動する。
【００７６】
この場合、当該回動軸１４１に連結されている伝達アーム１５０も最も右に移動する。これによって、当該伝達アーム１５０に連結されている第一アーム１６０の延設部１６１が最も右に押し出されるため、第一アーム１６０は第一支軸１１１を中心として正面視時計回りに回動した状態となる。この状態においては、第一アーム１６０の右端側は最も下降した位置にある。
【００７７】
ここで、図８及び図９に示す状態から図１３及び図１４に示す状態まで第一アーム１６０が回動する際、当該第一アーム１６０の右端部（第一可動部材２０１の回動軸２０１ｂ）が描く円弧の軌跡Ａ（図１０及び図１１参照）の接線方向と、第一可動部材２０１と第二可動部材２０２との相対的な摺動方向と、が略一致する。従って、第一アーム１６０が回動することによって第一可動部材２０１が第二可動部材２０２に対して相対的に下方に摺動（相対変位）するが、第二アーム１８０はほとんど回動しない。
【００７８】
したがって、薙刀（第一可動部材２０１）が突かれたような演出（図１２の状態から図１５の状態に変化する演出）を行い、当該演出を遊技者に視認させることができる。
【００７９】
なお、図１３及び図１４に示す可動体２００の位置を、「作動位置」とする。
【００８０】
第二ベース部材１２０の開口部１２２の下端の位置を、第二アーム１８０が最下位置（正面視で最も反時計回り方向に回動した位置）に達した際に当該第二アーム１８０と当接するような位置となるように形成することで、第一可動部材２０１の動きにつられて第二可動部材２０２及び第二アーム１８０が正面視反時計回りに回動するのを防止することができ、可動体２００の待機位置から作動位置までの移動を滑らかに行うことができる。
【００８１】
次に、可動体２００が作動位置にある状態からさらにモータ１３０を駆動させた場合について説明する。
【００８２】
図１６及び図１７に示すように、可動体２００が作動位置にある状態からさらにモータ１３０を駆動させて回転部材１４０を正面視時計回りに回転させると、当該回転部材１４０の回動軸１４１は左方に（より詳細には、出力軸１３１を中心とする円弧状を左下方に）移動する。
【００８３】
この場合、当該回動軸１４１に連結されている伝達アーム１５０も左方に移動する。これによって、当該伝達アーム１５０に連結されている第一アーム１６０の延設部１６１が第一支軸１１１を中心として正面視反時計回りに回動するため、第一アーム１６０も第一支軸１１１を中心として正面視反時計回りに回動し、第一アーム１６０の右端側は上昇する。
【００８４】
ここで、図１３及び図１４に示す状態から図１６及び図１７に示す状態まで第一アーム１６０が回動する際、当該第一アーム１６０の右端部（第一可動部材２０１の回動軸２０１ｂ）が描く円の軌跡の接線方向と、第一可動部材２０１と第二可動部材２０２との相対的な摺動方向と、が略一致する。従って、第一アーム１６０が回動することによって第一可動部材２０１が第二可動部材２０２に対して相対的に上方に摺動（相対変位）するが、第二アーム１８０はほとんど回動しない。
【００８５】
したがって、薙刀（第一可動部材２０１）が引き戻されたような演出（図１５の状態から図１２の状態に戻る演出）を行い、当該演出を遊技者に視認させることができる。
【００８６】
この状態からさらにモータ１３０を駆動させることで、第一アーム１６０の右端部が上昇し、可動体２００が所定の方向（上方）に押し上げられ、再び可動体２００を待機位置（図３、図５及び図６参照）に戻すことができる。
【００８７】
以上の如く、本実施形態に係る遊技機１の可動演出装置１００は、可動体２００と、可動体２００の左端部（第一端部）側に配置され、一端部が回動自在に軸支された第一アーム１６０と、可動体２００の前記第一端部と反対側に位置する右端部（第二端部）側に配置され、一端部が回動自在に軸支された第二アーム１８０と、第一アーム１６０を回動させるモータ１３０（駆動源）とを備え、可動体２００を第一アーム１６０により前記第一端部側から支持すると共に第二アーム１８０により前記第二端部側から支持し、モータ１３０により第一アーム１６０を回動させることにより可動体２００を作動させる遊技機１の可動演出装置１００において、可動体２００は相互に摺動自在な第一可動部材２０１及び第二可動部材２０２を有し、第一アーム１６０の他端部を第一可動部材２０１に回動自在に連結し、第二アーム１８０の他端部を第二可動部材２０２に回動不能に連結し、第一可動部材２０１と第二可動部材２０２とは、第一アーム１６０及び第一可動部材２０１の連結部（回動軸２０１ｂ）と第二アーム１８０及び第二可動部材２０２の連結部２０２ａとを結ぶ直線と平行な方向に摺動可能であり、モータ１３０によって第一アーム１６０を第一回動方向（正面視時計回り）に回動させると共に、当該第一アーム１６０の動きを可動体２００を介して第二アーム１８０に伝達して当該第二アーム１８０を前記第一回動方向と反対の第二回動方向（正面視反時計回り）に回動させることで、可動体２００を漸傾させながら移動させ、第一可動部材２０１と第二可動部材２０２との摺動方向が第一アーム１６０及び第一可動部材２０１の連結部（回動軸２０１ｂ）が描く円弧の軌跡Ａの接線方向と略平行になった場合において、さらにモータ１３０によって第一アーム１６０を前記第一回動方向に回動させることで、第一可動部材２０１を第二可動部材２０２から離間する方向に相対的に摺動させることを特徴とするものである。
【００８８】
このように構成することにより、モータ１３０によって第一アーム１６０を回動させると、第一アーム１６０の動きが可動体２００を介して第二アーム１８０に伝達され、第二アーム１８０が回動する。第一アーム１６０及び第二アーム１８０が回動すると、可動体２００は第一端部側を下方に傾けながら下降し、また、第一アーム１６０と第一可動部材２０１との連結部（回動軸２０１ｂ）が描く円弧の軌跡Ａの接線方向と、第一可動部材２０１と第二可動部材２０２との摺動方向が略平行になったときに、第一可動部材２０１が第二可動部材２０２から離間する方向に相対的に摺動する。このため、可動体２００（特に、当該可動体２００の第一端部側）を振り下ろす動きと、第一端部側へ突き出す動きとを組み合わせた挙動を演出することができ、可動体２００の挙動の興趣性を向上させることができ、ひいては遊技者に新鮮な印象を与えることができる。
また、第二アーム１８０は、可動体２００を介して第一アーム１６０の動きを伝達することで回動させるものであり、第一可動部材２０１及び第二可動部材２０２は、第一アーム１６０の動きに伴って摺動させるものである。すなわち、単一の駆動源によって複数の動き（可動体２００の下方への移動及び第一可動部材２０１の摺動）を実現することができ、駆動源の増加を伴わずに新たな可動演出を実現することが可能になる。
また、可動体２００に異なる方向への複数の動作（振り下ろされる動作及び振り上げられる動作、並びに前方に突く動作）を行わせることで、液晶画面２６の前方のスペースを大きく利用して演出を行うことができ、遊技者により強い印象を与えることができる。
【００８９】
なお、可動体２００（第一可動部材２０１）は薙刀を模した形状（棒状）としたが、本発明はこれに限るものではない。すなわち、その他の物を模した形状であっても良く、またその他の形状（例えば、矩形状や円形状等、又はこれらを組み合わせた形状）であっても良い。
また、第一アーム１６０及び第二アーム１８０の形状は本実施形態に限るものではなく、例えば図１８に示すような形状であっても良い。
また、第二アーム１８０は可動体２００を斜め下方から支持するものとしたが、図１８に示すように、下方から支持するものであっても良い。
【００９０】
また、可動演出装置１００は、可動体２００を液晶画面２６の上方から下方に移動させ、液晶画面２６の前方に出現させるものとしたが、本発明はこれに限るものではない。すなわち、液晶画面２６の下方から上方に移動させ、液晶画面２６の前方に出現させる構成や、液晶画面２６の左右から液晶画面２６の前方に出現させる構成としても良い。
【００９１】
また、モータ１３０の駆動力を第一アーム１６０に伝達させるための機構（回転部材１４０及び伝達アーム１５０による機構）は本実施形態に限るものではない。例えば、モータ１３０の出力軸を第一アーム１６０に直接連結して、当該モータ１３０の駆動力により直接第一アーム１６０を回動させる構成としても良い。
【００９２】
また、駆動源としてモータ１３０を用いるものとしたが、本発明はこれに限るものではない。すなわち、第一アーム１６０を回動させる駆動力を発生することができるもの（例えば、エアシリンダ等）であれば良い。
【符号の説明】
【００９３】
１：遊技機，１００：可動演出装置，１３０：モータ，１６０：第一アーム，１８０：第二アーム，２００：可動体，２０１：第一可動部材，２０２：第二可動部材
【図１】
0005741267.tif 000002
【図２】
0005741267.tif 000003
【図３】
0005741267.tif 000004
【図４】
0005741267.tif 000005
【図５】
0005741267.tif 000006
【図６】
0005741267.tif 000007
【図７】
0005741267.tif 000008
【図８】
0005741267.tif 000009
【図９】
0005741267.tif 000010
【図１０】
0005741267.tif 000011
【図１１】
0005741267.tif 000012
【図１２】
0005741267.tif 000013
【図１３】
0005741267.tif 000014
【図１４】
0005741267.tif 000015
【図１５】
0005741267.tif 000016
【図１６】
0005741267.tif 000017
【図１７】
0005741267.tif 000018
【図１８】
0005741267.tif 000019